(57)【要約】      （修正有）【課題】シャツ固有のボタンによらないで衿元を保持する衿止具を提供する。【解決手段】シャツの衿止具１０は、複数の穴を有するボタンと、該ボタンの穴に通され、少なくとも１つの輪を形成した弾性を有する糸状部材１４とを含む。使用に当たって、衿止具１０のボタンは、シャツ２０の衿元のボタン孔に嵌めて該シャツに取り付けられ、衿止具１０の輪１８は、糸状部材１４が伸びた状態でシャツ２０の衿元のボタン２４に掛けられる。これにより、シャツ２０の互いに合わせられる上と下の衿は、衿止具１０の糸状部材１４により開かないように保持される。また、衿元が開いたとき、シャツ２０の衿は、糸状部材１４の弾性力により互いに引き寄せられ、衿元は閉じられる。【選択図】図１
0003149254.tif 000002
【実用新案登録請求の範囲】
【請求項１】
着用時においてシャツの衿元を保持する衿止具であって、複数の穴を有するボタンと、該ボタンの穴に通され、少なくとも１つの輪を形成した弾性を有する糸状部材とを含む、衿止具。
【請求項２】
前記シャツはワイシャツである、請求項１に記載の衿止具。
【請求項３】
前記ボタンは、前記シャツに取り付けられているボタンと形状、寸法、色及び材質が同じである、請求項１に記載の衿止具。
【請求項４】
前記糸状部材は透明である、請求項１に記載の衿止具。
【請求項５】
前記糸状部材は白色である、請求項１に記載の衿止具。
【請求項６】
複数の穴を有するボタンと、該ボタンの穴に通され、少なくとも１つの輪を形成した糸状部材とからなる衿止具が、前記ボタンの穴に通された糸で取り付けられている、シャツ。
【請求項７】
前記衿止具のボタンが前記ボタンの孔に嵌められるボタンに代えて取り付けられている、請求項６に記載のシャツ。
【請求項８】
前記衿止具のボタンが前記ボタンの孔に嵌められている、請求項６に記載のシャツ。
【考案の詳細な説明】
【技術分野】
【０００１】
本考案は、シャツの衿元を保持する衿止具に関する。
【背景技術】
【０００２】
シャツの衿元は、通常、シャツの衿の一方に糸で取り付けられたボタンを衿の他方に設けられたボタン孔に嵌めることにより、開かないように保持される。これにより、シャツの着用時において、シャツの着用者の服装が整って見える。
【０００３】
しかし、近年、わが国においては、夏期の間、いわゆるクールビズの一環として、暑苦しさから逃れるためにネクタイを外し、かつ、ボタンをボタン孔から外すことが推奨されている。しかし、ボタンをボタン孔から外すと衿元が開き、下着の一部が衿元で露出することがあり、その場合、服装がだらしなく見える。
【０００４】
また、シャツの着用者の肥満により着用者の首周りが太くなったとき、シャツの着用者は、首周りの寸法に余裕がないために息苦しさを感じる。そのため、ボタンをボタン孔から外す場合がある。この場合も衿元が開いて服装がだらしなく見える。
【０００５】
このため、シャツの着用者は、シャツの衿元のボタンを嵌めて衿元を開かないようにすることが望まれる。しかし、これでは、着用者は暑苦しさや息苦しさから逃れられない。
【考案の概要】
【考案が解決しようとする課題】
【０００６】
本考案の主な目的は、シャツ固有のボタンによらないで衿元を保持する衿止具を提供することであり、特に衿元でボタンをボタン孔から外しても、通常、シャツの衿元を開かないように閉じた状態に保持し、首の動きにつれて衿元に力が及んだときは衿元を開いて息苦しさを感じさせないようにするシャツの衿止具を提供することである。本発明の他の目的は、衿止具を備えたシャツを提供することである。
【課題を解決するための手段】
【０００７】
本考案に係るシャツの衿止具は、複数の穴を有するボタンと、該ボタンの穴に通され、少なくとも１つの輪を形成した弾性を有する糸状部材とを含む。
【０００８】
前記シャツにはワイシャツが含まれる。また、前記ボタンは前記シャツに取り付けられているボタンの形状、寸法、色および材質を同じとすることができる。前記糸状部材は透明とすることができ、また、白色とすることができる。
【０００９】
前記衿止具の使用時、使用者は該衿止具のボタンをシャツのボタン孔に嵌め、糸状部材の輪をシャツ固有のボタンに掛ける。
【考案の効果】
【００１０】
前記衿止具は、使用時、衿止具のボタンとシャツ固有のボタンとを結ぶ糸状部材の弾性により、開いているシャツの衿元を閉じようとする。しかし、着用者の首が動いて衿元を開こうとする力が衿元に及んだとき、衿元は前記糸状部材が伸びて容易に開かれる。首の動きに従って衿元にかかる力がなくなったとき、前記衿元は前記糸状部材の弾性復帰により閉じられる。このため、前記衿止具は、前記糸状部材の弾性度を適宜に選択することにより、シャツの着用者に息苦しさを全く感じさせないで衿元を閉じた状態に保持することができる。
【図面の簡単な説明】
【００１１】
【図１】本考案に係る衿止具の使用状態を示す概略図。
【図２】本考案に係る第1の実施例の斜視図。
【図３】第１の実施例に係る衿止具が取り付けられた衿元の部分拡大図。
【図４】第1の実施例に係る衿止具の製造過程を示す斜視図。
【図５】第1の実施例に係る衿止具のその後の製造過程を示す斜視図。
【図６】本考案に係る第２の実施例の斜視図。
【図７】本考案に係る第３の実施例使用状態を示す概略図。
【考案を実施するための形態】
【実施例１】
【００１２】
図１に示す衿止具１０は、白いワイシャツ２０にその衿元を閉じた状態に保持するように使用されている。シャツ２０は、ボタン２４とこれに対応するボタン孔２２が設けられているものであれば、ワイシャツに限らず、ドレスシャツ、ポロシャツ、ブラウスなどでもよい。
【００１３】
衿止具１０は、図２に示すように、糸を通す複数の穴１６を有するボタン１２と、該ボタンの穴１６に通された弾性を有する糸状部材１４とを備え、糸状部材１４は１つの輪１８を形成している。図示の例において、糸状部材１４は白色透明の細いゴムひもである。ボタン１２は、シャツ２０に固有のボタン２４と形状、寸法、色および材質が同じである。ボタン１２は、シャツ２０のボタン孔２２に通すことができればその形状および寸法を問わない。ボタン１２の色は、シャツ２０の色と異なる色でもよく、ボタン１２の材質は、樹脂、金属、木、貝などの既存のものでよい。図示のボタン１２の穴１６は４つであるが、複数である限り、２つでも３つでもよい。
【００１４】
糸状部材１４は、ゴム製に限らず弾性に富むプラスチック製でもよい。糸状部材１４は、輪１８を形成するのに十分な長さを有し、ボタン１２の穴１６に通せる大きさの横断面寸法を有する。
【００１５】
衿止具１０は、シャツ２０の着用時、図１および図３に示すように使用される。すなわち、衿止具１０のボタン１２は、シャツ２０の衿元のボタン孔２２に嵌めて該シャツに取り付けられ、衿止具１０の輪１８は、糸状部材１４が伸びた状態でシャツ２０の衿元のボタン２４に掛けられる。これにより、シャツ２０の互いに合わせられる上と下の衿２６、２８は、衿止具１０の糸状部材１４により開かないように保持される。また、衿元が開いたとき、シャツ２０の衿２６、２８は、糸状部材１４の弾性力により互いに引き寄せられ、衿元は閉じられる。
【００１６】
衿止具１０を製造するとき、まず、ボタン１２および糸状部材１４を用意し、次に、糸状部材１４を、図４に示すように、ボタン１２の穴１６に通す。糸状部材１４は、ボタン１２の穴１６に通された後、図５に示すように本結びで結ばれ、１つの輪１８を形成する。
【実施例２】
【００１７】
図６に示す糸状部材１４は輪ゴム製で、該糸状部材の両端部を結ぶと、２つの輪１８が形成される。２つの輪１８をシャツ２０のボタン２４に掛けることにより、シャツの衿２６、２８を開かないように保持する弾性力は２倍となる。衿元を保持するための弾性力が強すぎるときは、ボタン２４に掛かる輪１８を１つにする。このように、糸状部材１４に２つの輪１８を設けて一方又は双方を選択的に用いることにより、衿元が開かないように保持する弾性力を調節することができる。糸状部材１４の太さや長さを選択することによっても弾性力を調節することができる。
【実施例３】
【００１８】
シャツ２０は、図７に示す例において、衿元に取り付けられているシャツ固有のボタン２４に代えて、衿止具１０のボタン１２が取り付けられている。ボタン１２を衿止具１０のボタンとして使用するとき、着用者は、ボタン孔２２に糸状部材１４を通し、その輪１８をボタン１２に掛ける。他方、ボタン１２を衿止具１０のボタンとして使用しないとき、着用者はボタン１２をボタン孔２２に嵌め、衿元を閉じる。この際、必要に応じてネクタイを着用することができる。
【実施例４】
【００１９】
他の実施例に係るシャツ２０は、シャツ固有のボタン２４に加えて、そのボタン孔にボタン１２が嵌められた衿止具１０を備える。そのシャツ２０の状態は、図１に示す衿止具１０の使用状態と同じである。
【産業上の利用可能性】
【００２０】
本考案に係る衿止具１０は、既存のボタンと弾性を有する糸状部材１４とから構成されるため、低コストで提供できる。また、既存のシャツ２０に容易に取り付けることができる。
【符号の説明】
【００２１】
１０          衿止具
１２          ボタン
１４          糸状部材
１６          穴
１８          輪
２０          シャツ
２２          ボタン孔
２４          シャツのボタン
２６、２８    衿
【図１】
0003149254.tif 000003
【図２】
0003149254.tif 000004
【図３】
0003149254.tif 000005
【図４】
0003149254.tif 000006
【図５】
0003149254.tif 000007
【図６】
0003149254.tif 000008
【図７】
0003149254.tif 000009